(57)【特許請求の範囲】
【請求項１】
顔全体が映る鏡装置において、
全面または一部が半透明にされた鏡と、
前記鏡を上下方向に可動的に支持する箱状部材と、
前記鏡の背面側に配設され、顔の輪郭を形どった輪郭表示部材と、
前記輪郭表示部材を所定時間表示させるスイッチ手段と、
前記鏡と前記輪郭表示部材を上下方向に駆動する駆動機構と、
前記輪郭表示部材が前記鏡を使用する成長期にある人の身長の伸び率を見込んだ単位時間当りの移動量となるように演算して前記駆動機構による前記輪郭表示部材の移動量を制御する制御回路と、
を具備し、
所望のときに前記スイッチ手段を操作して前記輪郭表示部材を表示させることにより前記顔の輪郭を、前記半透明とされた鏡を介して見得るように構成したことを特徴とする鏡装置。
【請求項２】
顔全体が映る鏡装置において、
全面または一部が半透明にされた鏡と、
前記鏡を上下方向に可動的に支持する箱状部材と、
前記鏡の背面側に配設され、顔の輪郭を形どった輪郭表示部材と、
前記輪郭表示部材を所定時間表示させるスイッチ手段と、
前記鏡と前記輪郭表示部材を上下方向に駆動する駆動機構と、
前記輪郭表示部材が前記鏡を使用する人の姿勢が矯正されることによる身長の伸び率を見込んだ単位時間当りの移動量となるように演算して前記駆動機構による前記輪郭表示部材の移動量を制御する制御回路と、
を具備し、
所望のときに前記スイッチ手段を操作して前記輪郭表示部材を表示させることにより前記顔の輪郭を、前記半透明とされた鏡を介して見得るように構成したことを特徴とする鏡装置。
【請求項３】
顔全体が映る鏡装置において、
全面または一部が半透明に加工された鏡と、
前記鏡が前面側に固定された箱状部材と、
前記鏡の背面側に配設され、且つ前記箱状部材に対し上下方向に移動可能に支持され、前記顔の輪郭を複数の発光素子により形どった輪郭表示部材と、
前記輪郭表示部材を上下方向に駆動する駆動機構と、
前記輪郭表示部材が前記鏡を使用する成長期にある人の身長の伸び率を見込んだ単位時間当りの移動量となるように演算して前記駆動機構による前記輪郭表示部材の移動量を制御する制御回路と、
前記輪郭表示部材を所定時間点灯表示させるスイッチ手段と、
を具備し、
所望のときに前記スイッチ手段を操作して前記輪郭表示部材の前記発光素子を点灯させることにより、顔の輪郭を前記半透明にされた鏡を介して見得るように構成したことを特徴とする鏡装置。
【請求項４】
顔全体が映る鏡装置において、
全面または一部が半透明に加工された鏡と、
前記鏡が前面側に固定された箱状部材と、
前記鏡の背面側に配設され、且つ前記箱状部材に対し上下方向に移動可能に支持され、前記顔の輪郭を複数の発光素子により形どった輪郭表示部材と、
前記輪郭表示部材を上下方向に駆動する駆動機構と、
前記輪郭表示部材が前記鏡を使用する人の姿勢が矯正されることによる身長の伸び率を見込んだ単位時間当りの移動量となるように演算して前記駆動機構による前記輪郭表示部材の移動量を制御する制御回路と、
前記輪郭表示部材を所定時間点灯表示させるスイッチ手段と、
を具備し、
所望のときに前記スイッチ手段を操作して前記輪郭表示部材の前記発光素子を点灯させることにより、顔の輪郭を前記半透明にされた鏡を介して見得るように構成したことを特徴とする鏡装置。
【請求項５】
前記輪郭表示部材は、複数の発光ダイオードにより前記顔の輪郭が形成されるように構成されていることを特徴とする請求項１〜請求項４のうちのいずれか１項に記載の鏡装置。
【請求項６】
前記輪郭表示部材を表示させる前記所定時間は、人間が前記鏡を持続的に見ていられる標準的な時間と一定の良い姿勢を保持することにより背筋が伸び、身長が伸びるに必要な合理的な時間であることを特徴とする請求項１〜請求項５のうちのいずれか１項に記載の鏡装置。
【請求項７】
前記駆動機構は、駆動モータと、この駆動モータの回転を減速して上下方向に延びる雄ねじ部材に伝達する減速機構と、前記輪郭表示部材に固定され、前記雄ねじ部材と螺合する雌ねじ部材と、
からなっていることを特徴とする請求項３〜請求項６のうちのいずれか１項に記載の鏡装置。
【請求項８】
前記箱状部材には、前記雌ねじ部材が上昇限界まで上昇したとき応動し、前記駆動機構の駆動モータを停止させる機能を有するリミットスイッチが配設されていることを特徴とする請求項３〜請求項７のうちのいずれか１項に記載の鏡装置。
【請求項９】
前記駆動機構は、夜中の一定時刻に所定量だけ前記輪郭表示部材を上方向に歩進させることを特徴とする請求項１〜請求項８のうちのいずれか１項に記載の鏡装置。
【請求項１０】
前記輪郭表示部材は、アルミニウム板に前記顔の輪郭を形どった仮想線上に所定の間隔をもって穿設された小孔を有し、該小孔に発光ダイオードを嵌入固定させて構成され、前記アルミニウム板は、前記鏡の裏面と案内部材との間に摩擦軽減シートを介して上下方向に可動な状態で挟持されていることを特徴とする請求項３〜請求項９のうちのいずれか１項に記載の鏡装置。
【請求項１１】
前記箱状部材は、傾斜修正手段を介して壁または柱に装着し得るように構成されていることを特徴とする請求項１〜請求項１０のうちのいずれか１項に記載の鏡装置。
【請求項１２】
前記箱状部材は、その傾斜状態を確認し得る水準器を具備することを特徴とする請求項１〜請求項１１のうちのいずれか１項に記載の鏡装置。
【請求項１３】
前記箱状部材の側方に、不使用時格納位置に格納し得る頭頂部当接杆を有する身長測定器を具備することを特徴とする請求項１〜請求項１２のうちのいずれか１項に記載の鏡装置。
【請求項１４】
前記箱状部材の上方部には、鏡を見る人が楽しくなるようなキャッチフレーズが表示されていることを特徴とする請求項１〜請求項１３のうちのいずれか１項に記載の鏡装置。
【発明の詳細な説明】
【０００１】
本発明は、鏡装置に関し、特に、成長期の青少年男女子の身長の促進または身体の矯正の補助具としての鏡装置に関するものである。
【０００２】
【従来の技術】
背を伸ばすためには、従来、次に述べるような方法がある。
第１には、鉄棒状の器具にぶら下がることにより、身長を伸ばす方法がある。
第２には、体を傾斜床に横たわらせ、体を上下方向に牽引して、身長を伸ばす方法がある。
第３には、骨の成長を促進すると言われるカルシウムやタンパク質を摂取する方法がある。
第４には、人の成長を助ける成長ホルモン剤を服用することで、血液中のアミノ酸を人間の体や血などに転換し、骨の発育と成長を促す方法がある。
【０００３】
【発明が解決しようとする課題】
上述した従来の装置や方法を用いることで、ある程度身長を伸ばす可能性は期待できるものの、それぞれ以下に述べるような問題点がある。
即ち、上記第１のぶら下がる器具を用いる方法の場合、ぶら下がることのできる体力が必要であり、また、通常人がぶら下がることができる時間は短時間であり、しかもその間かなりの苦痛を伴い、やりすぎると背骨や関節を痛める危険がある。
上記第２の体を上下方向に強制的に牽引する装置を用いる方法の場合、やはり苦痛を伴いがちであり、実施継続時間や引張り力が適正でなかったり、その実施方法を誤まったりすると、やはり背骨や筋肉や、関節を痛めてしまうという危険がある。
【０００４】
第３のカルシウムやタンパク質などが含まれる薬剤を服用する方法の場合、これらの薬剤を飲むだけでは背が伸びるというものではなく、単に栄養の補充をすることにとどまる。
第４のホルモン剤を服用する方法の場合、身長の伸びとの関係において、その効果がよく確認されておらず、むしろ、副作用の懸念がある。
また、上述の第１および第２の方法の場合、大型で占有空間を必要とするため、家庭内において、常設することは不都合で、かといって不使用時に物置等に収納するとすれば、その煩わしさが先に立ち、長期に亘る使用が困難となる。
そして、上述の第３および第４の方法の場合、伸長の成長の効果が薄い割には、薬剤の購入費が嵩み、長期に亘る使用が困難となる。
【０００５】
本発明は、上述した事情に鑑みてなされたもので、本発明の請求項１の目的とするところは、外力を体に加えたり、無理な姿勢を強いることなく、ごく自然に胸を張り、よい姿勢を維持して日常的に鏡に自分の顔を映すという行為を習慣的に持続することにより、成長期にある青少年男女子の身長が伸びるのを促進し得ると共に、成長期にある青少年の身長の伸びと共に鏡に映る顔の位置を上昇させ、常にほぼ一定の望ましい姿勢をとり得るように工夫され、しかも、身長の成長を特に意識せずとも実現させ得、身長の促進を補助する機能と、顔を映すという本来の鏡の機能を併有しつつ、互いに相互の機能を阻害しない鏡装置を提供することにある。
また、本発明の請求項２の目的とするところは、外力を体に加えたり、無理な姿勢を強いることなく、ごく自然に胸を張り、よい姿勢を維持して日常的に鏡に自分の顔を映すという行為を習慣的に持続することにより、前かがみの姿勢や猫背の姿勢を矯正し得ると共に、姿勢が矯正される人の身長の伸びと共に鏡に映る顔の位置を上昇させ、常にほぼ一定の望ましい姿勢をとり得るように工夫され、しかも、身長の成長を特に意識せずとも実現させ得、身長の促進を補助する機能と、顔を映すという本来の鏡の機能を併有しつつ、互いに相互の機能を阻害しない鏡装置を提供することにある。
また、本発明の請求項３の目的とするところは、外力を体に加えたり、無理な姿勢を強いることなく、ごく自然に胸を張り、よい姿勢を維持して日常的に鏡に自分の顔を映すという行為を習慣的に持続することにより、成長期にある青少年男女子の身長が伸びるのを促進し得ると共に、成長期にある青少年の身長の伸びと共に鏡に映る顔の位置を上昇させ、常にほぼ一定の望ましい姿勢をとり得るように工夫され、しかも、身長の成長を特に意識せずとも実現させ得、身長の促進を補助する機能と、顔を映すという本来の鏡の機能を併有しつつ、互いに相互の機能を阻害しないと共に、駆動機構への負担が軽減され得る鏡装置を提供することにある。
また、本発明の請求項４の目的とするところは、外力を体に加えたり、無理な姿勢を強いることなく、ごく自然に胸を張り、よい姿勢を維持して日常的に鏡に自分の顔を映すという行為を習慣的に持続することにより、前かがみの姿勢や猫背の姿勢を矯正し得ると共に、姿勢が矯正される人の身長の伸びと共に鏡に映る顔の位置を上昇させ、常にほぼ一定の望ましい姿勢をとり得るように工夫され、しかも、身長の成長を特に意識せずとも実現させ得、身長の促進を補助する機能と、顔を映すという本来の鏡の機能を併有しつつ、互いに相互の機能を阻害しないと共に、駆動機構への負担が軽減され得る鏡装置を提供することにある。
また、本発明の請求項５の目的とするところは、顔の輪郭が見易く、且つきれいに見えることにより、毎日、鏡を見るのが楽しみとなり、延いては、長期に亘る使用が実現され得る鏡装置を提供することにある。
また、本発明の請求項６の目的とするところは、飽きることなく続けられ、身長の伸びの効果を期待し得る鏡装置を提供することにある。
また、本発明の請求項７の目的とするところは、被駆動部材を小さな駆動力で移動できると共に、非常に小型化を図ることができ、しかも、駆動力源として電源電池を使用し得る鏡装置を提供することにある。
【０００６】
本発明の請求項８の目的とするところは、過大な負荷がかかることがなく、駆動機構への無理な力が作用せず、電力の無駄な消費も防止し得る鏡装置を提供することにある。
本発明の請求項９の目的とするところは、鏡を使用中に移動させる事態を防止すると共に、長期間の使用に拘らず、消費電力を少なく抑え得て経費が極めて僅かで足りる鏡装置を提供することにある。
本発明の請求項１０の目的とするところは、製造し易く、且つ被駆動部材の移動に要する力を大幅に軽減し得る鏡装置を提供することにある。
本発明の請求項１１の目的とするところは、傾斜して取付けられても傾きを容易に且つ迅速に修正し、鉛直方向に向け得る鏡装置を提供することにある。
本発明の請求項１２の目的とするところは、柱、壁等に水平に取り付けられているか否かを確認し得る鏡装置を提供することにある。
本発明の請求項１３の目的とするところは、身長の伸びを測定し得ると共に、小型で使い易く、しかも可能な限り正確に身長を測定し得る機能を有する鏡装置を提供することにある。
本発明の請求項１４の目的とするところは、より背筋を伸ばし得る鏡装置を提供することにある。
【０００７】
【課題を解決するための手段】
請求項１に記載の発明は、顔全体が映る鏡装置において、
全面または一部が半透明にされた鏡と、
前記鏡を上下方向に可動的に支持する箱状部材と、
前記鏡の背面側に配設され、顔の輪郭を形どった輪郭表示部材と、
前記輪郭表示部材を所定時間表示させるスイッチ手段と、
前記鏡と前記輪郭表示部材を上下方向に駆動する駆動機構と、
前記輪郭表示部材が前記鏡を使用する成長期にある人の身長の伸び率を見込んだ単位時間当りの移動量となるように演算して前記駆動機構による前記輪郭表示部材の移動量を制御する制御回路と、
を具備し、
所望のときに前記スイッチ手段を操作して前記輪郭表示部材を表示させることにより前記顔の輪郭を、前記半透明とされた鏡を介して見得るように構成したことを特徴とするものである。
【０００８】
請求項２に記載の発明は、顔全体が映る鏡装置において、
全面または一部が半透明にされた鏡と、
前記鏡を上下方向に可動的に支持する箱状部材と、
前記鏡の背面側に配設され、顔の輪郭を形どった輪郭表示部材と、
前記輪郭表示部材を所定時間表示させるスイッチ手段と、
前記鏡と前記輪郭表示部材を上下方向に駆動する駆動機構と、
前記輪郭表示部材が前記鏡を使用する人の姿勢が矯正されることによる身長の伸び率を見込んだ単位時間当りの移動量となるように演算して前記駆動機構による前記輪郭表示部材の移動量を制御する制御回路と、
を具備し、
所望のときに前記スイッチ手段を操作して前記輪郭表示部材を表示させることにより前記顔の輪郭を、前記半透明とされた鏡を介して見得るように構成したことを特徴とするものである。
請求項３に記載の発明は、顔全体が映る鏡装置において、
全面または一部が半透明に加工された鏡と、
前記鏡が前面側に固定された箱状部材と、
前記鏡の背面側に配設され、且つ前記箱状部材に対し上下方向に移動可能に支持され、前記顔の輪郭を複数の発光素子により形どった輪郭表示部材と、
前記輪郭表示部材を上下方向に駆動する駆動機構と、
前記輪郭表示部材が前記鏡を使用する成長期にある人の身長の伸び率を見込んだ単位時間当りの移動量となるように演算して前記駆動機構による前記輪郭表示部材の移動量を制御する制御回路と、
前記輪郭表示部材を所定時間点灯表示させるスイッチ手段と、
を具備し、
所望のときに前記スイッチ手段を操作して前記輪郭表示部材の前記発光素子を点灯させることにより、顔の輪郭を前記半透明にされた鏡を介して見得るように構成したことを特徴とするものである。
【０００９】
請求項４に記載の発明は、顔全体が映る鏡装置において、
全面または一部が半透明に加工された鏡と、
前記鏡が前面側に固定された箱状部材と、
前記鏡の背面側に配設され、且つ前記箱状部材に対し上下方向に移動可能に支持され、前記顔の輪郭を複数の発光素子により形どった輪郭表示部材と、
前記輪郭表示部材を上下方向に駆動する駆動機構と、
前記輪郭表示部材が前記鏡を使用する人の姿勢が矯正されることによる身長の伸び率を見込んだ単位時間当りの移動量となるように演算して前記駆動機構による前記輪郭表示部材の移動量を制御する制御回路と、
前記輪郭表示部材を所定時間点灯表示させるスイッチ手段と、
を具備し、
所望のときに前記スイッチ手段を操作して前記輪郭表示部材の前記発光素子を点灯させることにより、顔の輪郭を前記半透明にされた鏡を介して見得るように構成したことを特徴とするものである。
【００１０】
請求項５に記載の発明に係る鏡装置は、請求項１〜請求項４のうちのいずれか１項に記載の鏡装置であって、前記輪郭表示部材は、複数の発光ダイオードにより前記顔の輪郭が形成されるように構成されていることを特徴とするものである。
請求項６に記載の発明に係る鏡装置は、請求項１〜請求項５のうちのいずれか１項に記載の鏡装置であって、前記輪郭表示部材を表示させる前記所定時間は、人間が前記鏡を持続的に見ていられる標準的な時間と一定の良い姿勢を保持することにより背筋が伸び、身長が伸びるに必要な合理的な時間であることを特徴とするものである。
請求項７に記載の発明に係る鏡装置は、請求項３〜請求項６のうちのいずれか１項に記載の鏡装置であって、
前記駆動機構は、駆動モータと、この駆動モータの回転を減速して上下方向に延びる雄ねじ部材に伝達する減速機構と、前記輪郭表示部材に固定され、前記雄ねじ部材と螺合する雌ねじ部材と、
からなっていることを特徴とするものである。
【００１１】
請求項８に記載の発明に係る鏡装置は、請求項３〜請求項７のうちのいずれか１項に記載の鏡装置であって、
前記箱状部材には、前記雌ねじ部材が上昇限界まで上昇したとき応動し、前記駆動機構の駆動モータを停止させる機能を有するリミットスイッチが配設されていることを特徴とするものである。
請求項９に記載の発明に係る鏡装置は、請求項１〜請求項８のうちのいずれか１項に記載の鏡装置であって、
前記駆動機構は、夜中の一定時刻に所定量だけ前記輪郭表示部材を上方向に歩進させることを特徴とするものである。
請求項１０に記載の発明に係る鏡装置は、請求項３〜請求項９のうちのいずれか１項に記載の鏡装置であって、
前記輪郭表示部材は、アルミニウム板に前記顔の輪郭を形どった仮想線上に所定の間隔をもって穿設された小孔を有し、該小孔に発光ダイオードを嵌入固定させて構成され、前記アルミニウム板は、前記鏡の裏面と案内部材との間に摩擦軽減シートを介して上下方向に可動な状態で挟持されていることを特徴とするものである。
【００１２】
請求項１１に記載の発明に係る鏡装置は、請求項１〜請求項１０のうちのいずれか１項に記載の鏡装置であって、
前記箱状部材は、傾斜修正手段を介して壁または柱に装着し得るように構成されていることを特徴とするものである。
請求項１２に記載の発明に係る鏡装置は、請求項１〜請求項１１のうちのいずれか１項に記載の鏡装置であって、
前記箱状部材は、その傾斜状態を確認し得る水準器を具備することを特徴とするものである。
請求項１３に記載の発明に係る鏡装置は、請求項１〜請求項１２のうちのいずれか１項に記載の鏡装置であって、
前記箱状部材の側方に、不使用時格納位置に格納し得る頭頂部当接杆を有する身長測定器を具備することを特徴とするものである。
請求項１４に記載の発明に係る鏡装置は、請求項１〜請求項１３のうちのいずれか１項に記載の鏡装置であって、
前記箱状部材の上方部には、鏡を見る人が楽しくなるようなキャッチフレーズが表示されていることを特徴とするものである。
【００１３】
【作用】
本発明に係る鏡装置は、顔の輪郭を形どった輪郭表示部材が単独で、または輪郭表示部材と鏡とが一体で、箱状部材に対し、成長期にある人の身長の伸び率、または人の姿勢が矯正されることによる身長の伸び率を見込んだ単位時間当りの移動量で駆動機構により上昇移動するようになっている。
したがって、この鏡装置の鏡を専ら見る人が成長期にある青少年である場合は、その人の身長が伸びても顔を鏡の輪郭表示部材の輪郭に合致させたとき、胸が張って背筋の伸びた正しい姿勢をとるようになる。このように毎日、鏡を見ることを長期に亘って持続することで、身長が徐々に伸びるようになる。しかもこのような鏡を見るだけの行為であるから、毎日、苦痛や不快感を伴うことがなく、むしろ楽しみつつ長期に亘る繰り返しが可能である。
一方、この鏡装置の鏡を専ら見る人が前かがみの姿勢や猫背の姿勢を矯正する人である場合は、顔を鏡の輪郭表示部材の輪郭に合致させたとき、胸が張って背筋の伸びた正しい姿勢をとるようになる。このように毎日、鏡を見ることを長期に亘って持続することで、身長が徐々に本来あるべき長さに向かって伸びるようになる。しかもこのような鏡を見るだけの行為であるから、毎日、苦痛や不快感を伴うことがなく、むしろ楽しみつつ長期に亘る繰り返しが可能である。
【００１４】
この発明に係る鏡装置は、身長を伸ばし、あるいは姿勢を良くしようとする場合、スイッチ手段を操作して輪郭表示部材を表示させればよいし、普通の鏡として使用しようとする場合、スイッチ手段を操作しなければよいので、１つの鏡装置で二通りに使用でき、極めて便宜である。
【００１５】
【発明の実施の形態】
以下、図面を参照して、本発明の実施の形態に係る鏡装置について、詳細に説明する。
図１は、本発明の第１の実施の形態に係る鏡装置の外観構成を示す斜視図、図２は、上記第１の実施の形態に係る鏡装置の駆動機構を説明するための模式的な斜視図である。
図１および図２において、１は鏡装置の鏡であり、箱状部材２の前面側に設けた一対の案内板３によって上下方向に摺動（移動）可能に支持されており、全面または一部が半透明加工されている。
【００１６】
箱状部材２は、上下方向に長く、左右方向には短かく、前後方向（奥行き方向）には短かい偏平な箱体に形成され、内部空間には、後述する駆動機構や駆動機構を駆動制御する回路部材等が収容されている。この箱状部材２の上端には、鏡装置を柱や壁などに取り付けるための、フック孔４ａ，４ｂが穿設された据付部４が一体または一体的に設けられており、このフック孔４ａ，４ｂに２本のフックねじ（丸皿ねじあるいはＬ字をなす雄ねじ）５ａ，５ｂを挿通して、柱や壁にねじ込むことで、鏡装置が取付けられる。
【００１７】
箱状部材２の前面側の上端部には、鏡を見る人が毎回読んで楽しくなるような、キャッチフレーズ６を表示してある。キャッチフレーズとしては、例えば、「今のあなたはキレイですよ」、「にこっと笑って下さいね」、「ハイ！その笑顔をもう一度！」、「明るく笑顔で自信をもって！」など、楽しくなるような、そして、毎日、必然的にそれを読ませるような内容とすることが望ましい。
また、箱状部材２の下端部には、簡単な使用上の要領を表した説明文７が表示されている。
【００１８】
図２に示すように、箱状部材２には、顔の輪郭を形どった輪郭表示部材８とこの輪郭表示部材８と共に鏡１を上下方向に駆動する駆動機構９が内蔵されている。
即ち、鏡１の内面側には、図示は省略したが、発光ダイオードのような発光素子８ａを、多数、人の顔の輪郭を描くように所定間隔で点状に配設してなる輪郭表示部材８が鏡１に固着されている。この輪郭表示部材８は、図示省略の電源（商用電源を降圧直流化されたＡＣアダプタまたは電池）から多数の発光素子８ａに対し、操作スイッチ１０を押した後一定時間（例えば、１０〜２０秒）、通電制御回路（図示せず）を介して、電流を流して発光させることにより、鏡１の半透明部分を通して、人の顔の輪郭を表示するようになっている。
【００１９】
上記通電制御回路の通電時間は、適宜調整できるものが望ましく、且つ人間が鏡を持続的に見ていられる標準的な時間と一定の良い姿勢を保持することにより背筋が伸び、身長が伸びるに必要な合理的な時間が選ばれる。
駆動機構９は、鏡１を、輪郭表示部材８を一定量僅かずつ上昇移動させるもので、モータ（例えば、ギヤードモータ）１１と、このモータ１１の回転を減速する減速機構１２を形成する小歯車１２ａ、大歯車１２ｂおよびピニオン歯車１２ｃと、このピニオン歯車１２ｃの回転を鏡１（または輪郭表示部材８）の上下方向の運動に変換するラック歯車１２ｄとから構成されている。
【００２０】
この減速機構１２の回転量を制御する制御回路１３は、モータ１１の回転量を、輪郭表示部材８が鏡１を使う人の身長の伸び率を見込んだ単位時間当りの移動量となるように演算して輪郭表示部材８の移動量を制御するもので、常時、時計の如くモータ１１を回転させてもよいが、例えば、鏡１を使用しないと考えられる真夜中の一定時刻に所定量だけモータ１１に通電し、輪郭表示部材８を上方向に、ステップ的に歩進させるようにしてもよい。
そして、２〜３年間使用して鏡１が上限位置に達した場合には、モータ１１の回転駆動を強制的に停止させ、モータ１１を高速で逆転させるかピニオン歯車１２ｃとラック歯車１２ｄとの噛合を離し、スタート位置まで戻し、再び歯車１２ｃと１２ｄとを噛合させるようにしてもよい。但し、このような作業は、一般ユーザには、困難であるので、メーカ側で一旦回収して、スタート位置にリセットすることが望ましい。
【００２１】
このように構成された本発明の第１の実施の形態に係る鏡装置は、鏡１を使用する人が、毎朝あるいは毎晩にわたって鏡１の前に立ち、操作スイッチ１０を押し、電源からの電流を、人の顔の輪郭を形成する複数の発光素子８ａに通電し、発光素子８ａを発光点灯させることにより、輪郭表示部材８に人の顔を形どった発光素子８ａの光が鏡１の半透明部分を通して視認することができるので、鏡１を使う人は、自身の顔が輪郭表示部材８の顔の輪郭内に入るように立つようにする。
この場合、若干顔の輪郭が高い方が身長の成長を促進するのに役立つ。
【００２２】
このように、背筋を伸ばし、胸を張った状態が自然に形成されるため、一定時間その姿勢を持続し、発光素子８ａが通電制御回路の作用によって発光を停止するまで持続する。
鏡１および輪郭表示部材８は、制御回路１３によって、鏡１を使用する人の身長の伸び率を見込んだ移動をするように構成してあるので、どんなに身長の伸び率が高い人でも、その伸び量に対応し、常に身長が伸びやすい姿勢をとることができる。
【００２３】
図３は、本発明の第２の実施の形態に係る鏡装置を模式的に示す斜視図である。
この第２の実施の形態に係る鏡装置は、第１の実施の形態に係る鏡装置に対して、身長測定器と水準器が付設された点が異なるだけで、他の構成部分は、共通である。
この身長測定器１４は、スライド板１５と、このスライド板１５を箱状部材２の側面壁との間に挟んで、摺動可能なるようにする案内板１６と、不使用位置（格納位置）と使用位置（図３に示す位置）との間を回動し得るよう支持アーム１７で支持される頭頂部当接杆１８と、この頭頂部当接杆１８の高さ位置を読み取るためのスケール（物差し）部１９と、上記支持アーム１７の上下方向への移動を許容するために、箱状部材２の側壁部に形成されたスリット部２０と、支持アーム１７の回動を許容するために、スライド板１５に形成された逃げ孔２１と、上記頭頂部当接杆１８の支軸２２とから構成されている。
【００２４】
２３は、水準器で、鏡装置を柱、壁等に取り付けたときに、鏡装置が水平であるか否かを確認するものである。
この身長測定器１４は、上述した鏡装置による身長の伸び具合を、随時確認し、身長が伸びるのを楽しみながら使用するもので、同時に、鏡１を見る楽しみが倍加されるように作用する。
この身長測定器１４の使用方法は、不使用時には鉛直状態に格納されている頭頂部当接杆１８を、図３に示すように約９０度持ち上げるように回動させる（このとき、クリックストップ機構または係止機構によって、使用位置に係止されることが望ましい）。
【００２５】
被身長測定者は、最も上方に頭頂部当接杆１８を、先ず移動させた後、自身の体を身長測定器１４の下に立ち、頭頂部当接杆１８を静かに自身の頭頂部に当接させ、続いて、自身の体を身長測定器１４の下から離れ、指示されたスケール部１９の数値（身長または基準位置からの変化量）を読取る。
そして、身長を測定しない状態のときは、頭頂部当接杆１８を９０度下方向に回動させて、箱状部材２の側面壁に当接させることで、小型化させ、頭頂部当接杆１８が邪魔とならないようにすることができる。
【００２６】
図４は、本発明の第３の実施の形態に係る鏡装置の傾斜修正手段の部分を示す背面図であり、他の部分は、第１の実施の形態または第２の実施の形態に係る鏡装置と共通とする。
この鏡装置の傾斜修正手段２４は、箱状部材２の背面側または据付部２５に穿設された二つのフック孔２５ａ，２５ｂと、柱または壁などにねじ込まれ（または打ち込まれ）且つ上記フック孔２５ａ，２５ｂにそれぞれ嵌入係止する２本のフックねじ２６ａ，２６ｂと、一方のフックねじ２６ａと係合するコ字状係合部２７ａ、摺動部２７ｂ、固定ナット部材２７ｃ、およびつまみ部２７ｄでなる修正駆動機構２７から構成されている。
この傾斜修正手段２４は、次のような作用を果たす。
【００２７】
即ち、予め、柱や壁などに植込まれたフックねじ（ピンでもよい）２６ａ，２６ｂに、柱状部材２の背面または据付部２５に穿設されたフック孔２５ａ，２５ｂを嵌め込む。この状態で箱状部材２が鉛直方向を向いて取付けられれば問題がないが、フックねじ２６ａ，２６ｂが同じ高さにねじ込まれてなかったり、フック孔２５ａ，２５ｂの形成位置が同一水準位置に形成されていなかったりすると、鏡装置が鉛直（または水平でなく）でなく、傾斜して取り付けられてしまうことになる。
【００２８】
そこで、図４の実施の形態においては、仮に鏡装置が傾斜して取付けられたとしても、つまみ部２７ｄを回転させることにより、二本のフックねじ２６ａ，２６ｂに対する箱状部材２の相対位置を変えることで、一方のフックねじ２６ａと係合するフック孔２５ａは、水平方向に伸びているのに対し、他方の（右方の）フック孔２５ｂは、傾斜していることから、箱状部材２の傾きを容易に且つ迅速に修正し、箱状部材２を鉛直方向に向け得るように構成してあるのである。
図５は、本発明の第４の実施の形態に係る鏡装置を、鏡を省略してその模式的構成を示す正面図であり、図６は、箱状部材の側面壁を省略して内部構成を示す側面図である。
【００２９】
図５および図６において、２８は、鏡装置の鏡であり、箱状部材２９の前面側に、図示しない固定手段により固定保持されており、全面または後述する輪郭表示部材３２の部分のみが半透過鏡に形成され、他の部分は、全反射鏡に形成されている。
箱状部材２９は、上下方向に長く、左右方向には短かく、前後方向（厚み方向）には短かい偏平な長方体の箱体に形成され、その内部空間には、後述する駆動機構や駆動機構を駆動制御する回路部材等が収容されている。
この箱状部材２９の上端左右には、鏡装置を柱や壁などに取り付けるための一対のフック金具３０が止めねじ３１によって取付けられている。このフック金具３０には、貫通孔３０ａが穿設されており、紐または鎖が貫通した状態で取り付けられており、鏡装置を柱や壁などに植設された釘やフックねじ等に上記紐鎖を掛けることにより、鏡装置を吊り下げる。
【００３０】
上記鏡２８の裏面側には、輪郭表示部材３２が一対の案内部材３３によって上下方向移動可能な状態で設けられている。
この輪郭表示部材３２は、薄いアルミニウム板３２ｂに、顔の輪郭を形どった仮装線上に所定の間隔（例えば、１０mm間隔前後）をもって穿設された小孔を有し、該小孔に発光ダイオード等からなる発光素子３２ａを嵌入固定させて構成され、前記アルミニウム板３２ｂは、鏡２８の裏面と案内部材３３との間に摩擦軽減シート（図示省略）を介して、上下方向に少ない摩擦力で摺動可能な状態で挟持されている。
【００３１】
上記アルミニウム板３２ｂの下端部には、雌ねじ部材３４が溶接またはねじ止め等の手段により一体的に固着されている。この雌ねじ部材３４は、箱状部材２９の底面部と、背面部との固着された軸支部材３５に回転自在に軸支されている。
この雌ねじ部材３４には、雄ねじ部材３６が螺合されている。この雄ねじ部材３６は、スラスト軸受３７で支持されているため、回転は自在であるが、軸方向への移動は阻止されている。
【００３２】
上記雄ねじ部材３６は、モータ（ギヤードモータ）３８の回転力を、減速歯車機構４３を構成する小歯車３９→大歯車４０→小歯車４１→大歯車４２を順次介して受けることによって、低回転で回転する。この雄ねじ部材３６が一方に回転すると、これと螺合する雌ねじ部材３４が上方に次第に移動して行き、これに伴って、アルミニウム板３２ｂ、ひいては輪郭表示部材３２も上方に移動する。この移動量は、上述したように、制御回路に条件を設定することによって、鏡２８を使用する人の身長の伸び量と等しくなるか若干大きい量に設定または選択する。
【００３３】
この第４の実施の形態は、第１または第２の実施の形態と対比して、第１に、輪郭表示部材３２のみを上方向に移動するのであって、鏡２８は、移動させないので、モータ３８の必要トルクが小さくて足りる利点があり、第２に、輪郭表示部材３２と一体の雌ねじ部材３４が上昇限界に達すると、リミットスイッチ４４が作用し、図示しないモータ駆動制御回路によりモータ３８への通電を停止するように構成されている点が、相違している。
この第４の実施の形態においては、輪郭表示部材３２の発光素子３２ａの点灯制御は、上述した実施の形態と同様である。
【００３４】
図７は、本発明の第５の実施の形態に係る鏡装置に付設された身長測定器の構成を主として示す斜視図である。
図７に示す身長測定器４５は、箱状部材２９の側面壁に止めねじ４６によって固定されたコ字状部材４７と、このコ字状部材４７に対し、上下方向に挿通固定されたガイド軸４８と、このガイド軸４８に挿通され上下方向に摺動するスライド部材４９と、このスライド部材４９に対し、支軸５０を中心として、箱状部材２９の側面壁に沿って垂下される収納位置（不使用位置）と図７に示されるように、箱状部材２９に対し直交するように起立される使用位置との間を、回動可能に設けられた頭頂部当接杆５１とから構成されている。
尚、図示は省略したが、コ字状部材４７に沿って上下方向に伸びるスケールが付設され、絶対高さまたは相対高さを読み取り得るようになっている。
【００３５】
このように構成された身長測定器４５においても、鏡装置による自身の伸び具合を随時確認し、身長が伸びるのを楽しみながら使用することができ、同時に鏡２８を見る楽しみが倍加し、長年月における使用が無理なく実現される。
その結果、成長の著しい青少年期における身長の伸びを促進することができ、また、中高年期においても、背筋を伸ばした姿勢が習慣化され、前かがみの姿勢や猫背の姿勢が矯正され、少なくとも１〜３cmの身長の伸びが期待できる。
しかも、このような身長の伸びを促進させるに際し、苦痛を伴うことがなく、まして背骨や関節を痛めることもなく、加えて、薬剤を使う場合に比べれば、初期投資は別として、ランニングコストは殆どかからず、副作用の心配が皆無であるという利点がある。
【００３６】
尚、本発明は、上述し且つ図面に示した実施の形態に限定されるものではなく、本発明の要旨を逸脱しない範囲内で、種々の変形が可能である。
例えば、輪郭表示部材は、発光素子を用いる場合に限らず、液晶のような非発光素子を用いてもよく、その場合、必要に応じ液晶に対し発光素子の放出光または外光を照射する必要がある。
また、輪郭表示部材の顔の輪郭形状を、人気タレントの顔に模したり、輪郭のみならず、目、鼻、口、耳等を表示するようにしてもよい。
また、本発明の鏡装置のメンテナンス方法については、例えば、一定の身長の成長が達成された場合、本鏡装置を使用する人が変わる場合、輪郭表示部材が上限界に到達した場合、故障した場合、等においては、製造元または販売元に返送し、駆動機構の移動量〔単位時間当たりの移動量〕その他の条件を設定する必要があるために、故意に使用者自身が手を加えられないように、分解が困難な構造にしたり、暗証番号を入力しなければ条件を変更できないような構造にしておくことが望ましい。
【００３７】
また、駆動機構および輪郭表示部材を駆動および表示するのに、１００ＶのＡＣ商用電源を用いるのが経済的であるが、商用電源が近くにない場合や、配線が厄介な場所に設置する場合には、電池を電源として用いることもできる。
また、箱状部材の背面側に永久磁石を取付けるようにしてもよい。このように構成した場合、鏡装置を取付ける面が鉄のような磁性体である場合、取付の安定度が増す。
【００３８】
【発明の効果】
以上詳述したところから明らかなように、本発明の請求項１の鏡装置によれば、顔全体が映る鏡装置において、
全面または一部が半透明にされた鏡と、
前記鏡を上下方向に可動的に支持する箱状部材と、
前記鏡の背面側に配設され、顔の輪郭を形どった輪郭表示部材と、
前記輪郭表示部材を所定時間表示させるスイッチ手段と、
前記鏡と前記輪郭表示部材を上下方向に駆動する駆動機構と、
前記輪郭表示部材が前記鏡を使用する成長期にある人の身長の伸び率を見込んだ単位時間当りの移動量となるように演算して前記駆動機構による前記輪郭表示部材の移動量を制御する制御回路と、
を具備し、
所望のときに前記スイッチ手段を操作して前記輪郭表示部材を表示させることにより前記顔の輪郭を、前記半透明とされた鏡を介して見得るように構成したから、鏡を見る人の顔が輪郭表示部材に表示される顔の輪郭に合うように高さを合わせて据付けられた鏡装置に向かって、その鏡を使う人が毎日、上記顔の輪郭に合うように顔を所定時間映して見ることにより、必然的に胸を張り、背筋を伸ばす理想的な姿勢がとられるので、外力を体に加えたり、無理な姿勢を強いたり、体力の我慢を強いることなく、よい姿勢を維持して日常的に鏡に自分の顔を映すという行為を習慣的に持続することにより、身長の成長を特に意識することなく、成長期にある青少年男女子の身長が伸びるのを促進し得ると共に、成長期による青少年の身長の伸びがあるにも拘わらず、常にほぼ一定の望ましい姿勢をとることができる。また、この鏡装置によれば、身長の促進を補助する機能と、顔を映すという本来の鏡の機能を併有しつつ、互いに相互の機能を阻害することはない。
【００３９】
また、本発明の請求項２の鏡装置によれば、顔全体が映る鏡装置において、
全面または一部が半透明にされた鏡と、
前記鏡を上下方向に可動的に支持する箱状部材と、
前記鏡の背面側に配設され、顔の輪郭を形どった輪郭表示部材と、
前記輪郭表示部材を所定時間表示させるスイッチ手段と、
前記鏡と前記輪郭表示部材を上下方向に駆動する駆動機構と、
前記輪郭表示部材が前記鏡を使用する人の姿勢が矯正されることによる身長の伸び率を見込んだ単位時間当りの移動量となるように演算して前記駆動機構による前記輪郭表示部材の移動量を制御する制御回路と、
を具備し、
所望のときに前記スイッチ手段を操作して前記輪郭表示部材を表示させることにより前記顔の輪郭を、前記半透明とされた鏡を介して見得るように構成したから、鏡を見る人の顔が輪郭表示部材に表示される顔の輪郭に合うように高さを合わせて据付けられた鏡装置に向かって、その鏡を使う人が毎日、上記顔の輪郭に合うように顔を所定時間映して見ることにより、必然的に胸を張り、背筋を伸ばす理想的な姿勢がとられるので、外力を体に加えたり、無理な姿勢を強いたり、体力の我慢を強いることなく、よい姿勢を維持して日常的に鏡に自分の顔を映すという行為を習慣的に持続することにより、身長の本来あるべき長さへの回復を特に意識することなく、中高年期にある人等の前かがみの姿勢や猫背の姿勢を矯正し得ると共に、常にほぼ一定の望ましい姿勢をとることができる。また、この鏡装置によれば、身長の促進を補助する機能と、顔を映すという本来の鏡の機能を併有しつつ、互いに相互の機能を阻害することはない。
【００４０】
また、本発明の請求項３の鏡装置によれば、顔全体が映る鏡装置において、
全面または一部が半透明に加工された鏡と、
前記鏡が前面側に固定された箱状部材と、
前記鏡の背面側に配設され、且つ前記箱状部材に対し上下方向に移動可能に支持され、前記顔の輪郭を複数の発光素子により形どった輪郭表示部材と、
前記輪郭表示部材を上下方向に駆動する駆動機構と、
前記輪郭表示部材が前記鏡を使用する成長期にある人の身長の伸び率を見込んだ単位時間当りの移動量となるように演算して前記駆動機構による前記輪郭表示部材の移動量を制御する制御回路と、
前記輪郭表示部材を所定時間点灯表示させるスイッチ手段と、
を具備し、
所望のときに前記スイッチ手段を操作して前記輪郭表示部材の前記発光素子を点灯させることにより、顔の輪郭を前記半透明にされた鏡を介して見得るように構成したから、鏡を見る人の顔が輪郭表示部材に表示される顔の輪郭に合うように高さを合わせて据付けられた鏡装置に向かって、その鏡を使う人が毎日、上記顔の輪郭に合うように顔を所定時間映して見ることにより、必然的に胸を張り、背筋を伸ばす理想的な姿勢がとられるので、外力を体に加えたり、無理な姿勢を強いたり、体力の我慢を強いることなく、よい姿勢を維持して日常的に鏡に自分の顔を映すという行為を習慣的に持続することにより、身長の成長を特に意識することなく、成長期にある青少年男女子の身長が伸びるのを促進し得ると共に、成長期による青少年の身長の伸びがあるにも拘わらず、常にほぼ一定の望ましい姿勢をとることができる。また、この鏡装置によれば、身長の促進を補助する機能と、顔を映すという本来の鏡の機能を併有しつつ、互いに相互の機能を阻害することはない。また、特に、輪郭表示部材のみを駆動するため、駆動機構への負担が軽減される利点がある。
【００４１】
また、本発明の請求項４の鏡装置によれば、顔全体が映る鏡装置において、
全面または一部が半透明に加工された鏡と、
前記鏡が前面側に固定された箱状部材と、
前記鏡の背面側に配設され、且つ前記箱状部材に対し上下方向に移動可能に支持され、前記顔の輪郭を複数の発光素子により形どった輪郭表示部材と、
前記輪郭表示部材を上下方向に駆動する駆動機構と、
前記輪郭表示部材が前記鏡を使用する人の姿勢が矯正されることによる身長の伸び率を見込んだ単位時間当りの移動量となるように演算して前記駆動機構による前記輪郭表示部材の移動量を制御する制御回路と、
前記輪郭表示部材を所定時間点灯表示させるスイッチ手段と、
を具備し、
所望のときに前記スイッチ手段を操作して前記輪郭表示部材の前記発光素子を点灯させることにより、顔の輪郭を前記半透明にされた鏡を介して見得るように構成したから、鏡を見る人の顔が輪郭表示部材に表示される顔の輪郭に合うように高さを合わせて据付けられた鏡装置に向かって、その鏡を使う人が毎日、上記顔の輪郭に合うように顔を所定時間映して見ることにより、必然的に胸を張り、背筋を伸ばす理想的な姿勢がとられるので、外力を体に加えたり、無理な姿勢を強いたり、体力の我慢を強いることなく、よい姿勢を維持して日常的に鏡に自分の顔を映すという行為を習慣的に持続することにより、身長の本来あるべき長さへの回復を特に意識することなく、中高年期にある人等の前かがみの姿勢や猫背の姿勢を矯正し得ると共に、常にほぼ一定の望ましい姿勢をとることができる。また、この鏡装置によれば、身長の促進を補助する機能と、顔を映すという本来の鏡の機能を併有しつつ、互いに相互の機能を阻害することはない。また、特に、輪郭表示部材のみを駆動するため、駆動機構への負担が軽減される利点がある。
【００４２】
本発明の請求項５の鏡装置によれば、請求項１〜請求項４のうちのいずれか１項の鏡装置あって、前記輪郭表示部材は、複数の発光ダイオードにより前記顔の輪郭が形成されるように構成されているから、顔の輪郭が見易く、且つきれいに見えるので、毎日、鏡を見るのが楽しみとなり、延いては、長期に亘る使用が実現される。
本発明の請求項６の鏡装置によれば、請求項１〜請求項５のうちのいずれか１項の鏡装置であって、前記輪郭表示部材を表示させる前記所定時間は、人間が前記鏡を持続的に見ていられる標準的な時間と一定の良い姿勢を保持することにより背筋が伸び、身長が伸びるに必要な合理的な時間であることから、この鏡装置を使う人は、飽きることなく身長を伸ばす行為が続けられ、身長の伸びの効果を期待することができる。
【００４３】
本発明の請求項７の鏡装置によれば、請求項３〜請求項６のうちのいずれか１項の鏡装置であって、前記駆動機構は、駆動モータと、この駆動モータの回転を減速して上下方向に延びる雄ねじ部材に伝達する減速機構と、前記輪郭表示部材に固定され、前記雄ねじ部材と螺合する雌ねじ部材と、を備えているから、輪郭表示部材を小さな駆動力をもって、移動させることができ、しかも非常に小型化を図ることができ、その駆動力源として、商用電源のみならず、電源電池を用いることができる。
本発明の請求項８の鏡装置によれば、請求項３〜請求項７のうちのいずれか１項の鏡装置であって、前記箱状部材には、前記雌ねじ部材が上昇限界まで上昇したとき応動し、前記駆動機構の駆動モータを停止させる機能を有するリミットスイッチが配設されているから、輪郭表示部材が上昇限界に到達した場合、自動的に駆動モータが停止することとなり、過大な負荷がモータにかかることがなく、駆動機構への無理な力が作用しないばかりでなく、電力の無駄な消費を防止することができる。
【００４４】
本発明の請求項９の鏡装置によれば、請求項１〜請求項８のうちのいずれか１項の鏡装置であって、前記駆動機構は、夜中の一定時刻に所定量だけ前記輪郭表示部材を上方向に歩進させるように構成してあるから、鏡を使用中に移動させる事態を防止すると共に、長期間の使用に拘らず、連続歩進に比べ消費電力を少なく抑え得て経費が極めて僅かで足りることができる。
本発明の請求項１０の鏡装置によれば、請求項３〜請求項９のうちのいずれか１項の鏡装置であって、前記輪郭表示部材は、アルミニウム板に前記顔の輪郭を形どった仮想線上に所定の間隔をもって穿設された小孔を有し、該小孔に発光ダイオードを嵌入固定させて構成され、前記アルミニウム板は、前記鏡の裏面と案内部材との間に摩擦軽減シートを介して上下方向に可動な状態で挟持される構成となっているから、輪郭表示部材が請求項１または請求項２の輪郭表示部材に対し製造し易く、且つ軽量なアルミニウムからなる輪郭表示部材の移動に要する力が大幅に軽減される利点があり、その上、摩擦軽減シートを介して挟持されている輪郭表示部材の移動に要する力がさらに軽減化されることになる。
本発明の請求項１１の鏡装置によれば、請求項１〜請求項１０のうちのいずれか１項の鏡装置であって、前記箱状部材は、傾斜修正手段を介して壁または柱に装着し得るように構成されているから、傾斜して取付けられても傾きを容易に且つ迅速に修正し、鉛直方向に向けることができる。
【００４５】
本発明の請求項１２の鏡装置によれば、請求項１〜請求項１１のうちのいずれか１項の鏡装置であって、前記箱状部材は、その傾斜状態を確認し得る水準器を具備する構成となっているから、柱、壁等に水平に取り付けられているか否かを確認することができる。
本発明の請求項１３の鏡装置によれば、請求項１〜請求項１２のうちのいずれか１項の鏡装置であって、前記箱状部材の側方に、不使用時格納位置に格納し得る頭頂部当接杆を有する身長測定器を具備する構成となっているから、身長の伸びを測定し得ると共に、小型で使い易く、しかも可能な限り正確に身長を測定することができる。特に、成長期にある青少年男女子の身長の伸びを直ちに且つ正確に確認できるので、鏡を見ることの楽しみが一層倍加されることになる。 そして、この場合の身長測定器は、不使用時、頭頂部当接杆を折り畳んでおくことができ、体裁がよくなると共に、小型化を実現することができる。
本発明の請求項１４の鏡装置によれば、請求項１〜請求項１３のうちのいずれか１項の鏡装置であって、前記箱状部材の上方部には、鏡を見る人が楽しくなるようなキャッチフレーズが表示されていることから、顔を通常の姿勢よりやや上方に向けるようになるので、より背筋が伸びることとなる。
【図面の簡単な説明】
【図１】本発明の第１の実施の形態に係る鏡装置の外観構成を示す斜視図である。
【図２】本発明の第１の実施の形態に係る鏡装置の駆動機構および輪郭表示部材を説明するための模式的な斜視図である。
【図３】本発明の第２の実施の形態に係る鏡装置を模式的に示す斜視図である。
【図４】本発明の第３の実施の形態に係る鏡装置の傾斜修正手段の部分を示す背面図である。
【図５】本発明の第４の実施の形態に係る鏡装置を、鏡を省略してその模式的構成を示す正面図である。
【図６】本発明の第４の実施の形態に係る箱状部材の側面壁を省略して内部構成を示す側面図である。
【図７】本発明の第５の実施の形態に係る鏡装置に付設された身長測定器の構成を主として示す斜視図である。
【符号の説明】
１，２８  鏡
２，２９  箱状部材
３  案内板
４，２５  据付部
４ａ，４ｂ，２５ａ，２５ｂ  フック孔
５ａ，５ｂ，２６ａ，２６ｂ  フックねじ
６  キャッチフレーズ
７  説明文
８，３２  輪郭表示部材
８ａ，３２ａ  発光素子
９  駆動機構
１０  操作スイッチ
１１，３８  モータ
１２  減速機構
１２ａ，３９，４１  小歯車
１２ｂ，４０，４２  大歯車
１２ｃ  ピニオン歯車
１２ｄ  ラック歯車
１３  制御回路
１４，４５  身長測定器
１５  スライド板
１６  案内板
１７  支持アーム
１８，５１  頭頂部当接杆
１９  スケール（物差し）部
２０  スリット部
２１  逃げ孔
２２  支軸
２３  水準器
２４  傾斜修正手段
２７  修正駆動機構
２７ａ  コ字状係合部
２７ｂ  摺動部
２７ｃ  固定ナット部材
２７ｄ  つまみ部
３０  フック金具
３０ａ  貫通孔
３１  止めねじ
３２ｂ  アルミニウム板
３３  案内部材
３４  雌ねじ部
３５  軸支部材
３６  雄ねじ部材
３７  スラスト軸受
４３  減速歯車機構
４４  リミットスイッチ
４６  止めねじ
４７  コ字状部材
４８  ガイド軸
４９  スライド部材
５０  支軸
【図１】
0003670168.tif 000002
【図２】
0003670168.tif 000003
【図３】
0003670168.tif 000004
【図４】
0003670168.tif 000005
【図５】
0003670168.tif 000006
【図６】
0003670168.tif 000007
【図７】
0003670168.tif 000008